(57)【要約】【課題】電圧検出手段20で検出された電圧の位相の遅れの影響を除いた放電電流により、インバータ回路12を帰還制御できる放電ランプ点灯装置10を提供する。【解決手段】電圧検出手段20で、放電ランプFLの電圧を検出する。電流検出手段24で、インバータ回路12が出力する電流を検出する。検出回路27の補正手段で、放電ランプFLの放電電圧の位相に対して電圧検出手段20で検出された電圧の位相の遅れを補正する。補正された電圧の位相において電流検出手段24で検出された電流によりインバータ回路12を帰還制御する。深い調光時でも、電圧検出手段20で検出された電圧の位相の遅れの影響を除いた放電電流により、インバータ回路12を帰還制御できる。【選択図】図１
2008277122.tif 000002
【特許請求の範囲】
【請求項１】
スイッチング素子の動作により直流電圧を高周波電圧に変換して出力するインバータ回路と；
放電ランプの電圧を検出する電圧検出手段と；
インバータ回路が出力する電流を検出する電流検出手段と；
放電ランプの放電電圧の位相に対して電圧検出手段で検出された電圧の位相の遅れを補正する補正手段と；
補正手段で補正された電圧の位相において電流検出手段で検出された電流によりインバータ回路のスイッチング素子を帰還制御する制御手段と；
を具備していることを特徴とする放電ランプ点灯装置。
【請求項２】
補正手段は、放電ランプが点灯するまでの始動期間中に、電流検出手段で検出された容量性成分の波形の略ゼロクロスに対応した電圧のピーク位相に対して電圧検出手段で検出された電圧のピーク位相の遅れを補正する補正量を求め、放電ランプの点灯後に、電圧検出手段で検出された電圧の位相の遅れを補正量によって補正する
ことを特徴とする請求項１記載の放電ランプ点灯装置。
【請求項３】
補正手段は、放電ランプの放電電圧の位相に対して電圧検出手段で検出された電圧の位相の遅れを補正するのに必要な補正量が予め登録されたデータテーブルを備え、電圧検出手段で検出された電圧の位相の遅れをデータテーブルに登録されている補正量によって補正する
ことを特徴とする請求項１記載の放電ランプ点灯装置。
【発明の詳細な説明】
【技術分野】
【０００１】
本発明は、放電ランプを点灯させる放電ランプ点灯装置に関する。
【背景技術】
【０００２】
従来、放電ランプ点灯装置では、例えば、ハーフブリッジ形のインバータ回路が用いられ、このインバータ回路により放電ランプを始動、点灯させている。また、放電ランプを調光する機能を有する場合には、放電ランプを安定して調光するために、放電ランプの電圧、およびインバータ回路が出力する電流を検出し、これら検出された電圧、出力電流を用いてインバータ回路を帰還制御している。
【０００３】
また、インバータ回路の出力電流には、放電ランプは高周波電圧で点灯するため、放電ランプ内を流れる放電電流とともに、容量性成分として放電ランプと器具との間、配線間、放電ランプの管壁などに生じる静電容量に流れる漏洩電流成分などが含まれる。
【０００４】
そして、インバータ回路を用いて放電ランプの調光を行う場合、インバータ回路の発振周波数を高くすることで出力電流を少なくして調光が可能になる。一方、放電ランプが熱陰極形蛍光ランプの場合、負特性を持つので、放電電流が減少すると放電電圧が増加し、このため、深い調光時ほど漏洩電流の割合が大きくなる。
【０００５】
そこで、検出した電圧から参照位相信号を生成し、この電圧の参照位相信号と同期したインバータ回路の出力電流を検出することにより、静電容量に流れる漏洩電流成分の影響を除いた放電電流を検出し、この放電電流によりインバータ回路を帰還制御する放電ランプ点灯装置がある（例えば、特許文献１参照。）。
【特許文献１】特許第３７２４５９４号公報（第５−７頁、図１−４）
【発明の開示】
【発明が解決しようとする課題】
【０００６】
放電ランプの電圧の検出には抵抗を用いた分圧回路が用いられるが、電圧は高周波高電圧であるため、分圧に用いる抵抗が電圧の検出に影響する。すなわち、図１２に示すように、実際の放電電圧VLの波形と検出された検出電圧VL_detの波形とでは、放電電圧VLが高周波高電圧であることから検出の際の分圧に用いた抵抗の影響により、深い調光時ほど放電電圧VLの波形に対して検出電圧VL_detの波形の位相に遅れが生じる。
【０００７】
この検出電圧VL_detのピーク位相に同期してインバータ回路が出力する電流の検出を行うと、実際の放電電圧VLの位相とは同期しなくなり、漏洩電流成分を除いた放電電流のみを検出できず、深い調光ができない問題がある。
【０００８】
本発明は、このような点に鑑みなされたもので、電圧検出手段で検出された電圧の位相の遅れの影響を除いた放電電流によりインバータ回路を精度よく帰還制御できる放電ランプ点灯装置を提供することを目的とする。
【課題を解決するための手段】
【０００９】
請求項１記載の放電ランプ点灯装置は、スイッチング素子の動作により直流電圧を高周波電圧に変換して出力するインバータ回路と；放電ランプの電圧を検出する電圧検出手段と；インバータ回路が出力する電流を検出する電流検出手段と；放電ランプの放電電圧の位相に対して電圧検出手段で検出された電圧の位相の遅れを補正する補正手段と；補正手段で補正された電圧の位相において電流検出手段で検出された電流によりインバータ回路のスイッチング素子を帰還制御する制御手段と；を具備しているものである。
【００１０】
放電ランプは、例えば、熱陰極形蛍光ランプや高圧放電ランプなどがあるがこれらに限定されない。
【００１１】
インバータ回路は、例えば、電界効果トランジスタなどのスイッチング素子の動作により直流電圧を高周波電圧に変換して出力できれば、ハーフブリッジ形、フルブリッジ形などいずれでもよい。
【００１２】
補正手段は、放電ランプの放電電圧の位相に対して電圧検出手段で検出された電圧の位相の遅れを補正することができればどのような手段を用いてもよい。
【００１３】
そして、例えば深い調光時には、放電ランプの放電電圧の位相に対して電圧検出手段で検出された電圧の位相に遅れが生じるが、この放電ランプの放電電圧の位相に対して電圧検出手段で検出された電圧の位相の遅れを補正し、補正された電圧の位相において電流検出手段で検出された電流によりインバータ回路を帰還制御するため、深い調光時でも電圧検出手段で検出された電圧の位相の遅れの影響を除いた放電電流によりインバータ回路を帰還制御できる。
【００１４】
請求項２記載の放電ランプ点灯装置は、請求項１記載の放電ランプ点灯装置において、補正手段は、放電ランプが点灯するまでの始動期間中に、電流検出手段で検出された容量性成分の波形の略ゼロクロスに対応した電圧のピーク位相に対して電圧検出手段で検出された電圧のピーク位相の遅れを補正する補正量を求め、放電ランプの点灯後に、電圧検出手段で検出された電圧の位相の遅れを補正量によって補正するものである。
【００１５】
放電ランプが点灯するまでの始動期間中とは、電源投入から放電ランプが点灯するまでの期間であって放電ランプ内に放電電流が流れていない期間をいう。また、略ゼロクロスとは、ゼロクロスする場合も含むしゼロクロスに近い場合も含み、ゼロクロスから少しずれていても検出には支障がない。
【００１６】
請求項３記載の放電ランプ点灯装置は、請求項１記載の放電ランプ点灯装置において、補正手段は、放電ランプの放電電圧の位相に対して電圧検出手段で検出された電圧の位相の遅れを補正するのに必要な補正量が予め登録されたデータテーブルを備え、電圧検出手段で検出された電圧の位相の遅れをデータテーブルに登録されている補正量によって補正するものである。
【００１７】
補正量は、例えば、実際の測定や計算によって求められ、検出回路や制御回路の有するメモリに登録される。
【発明の効果】
【００１８】
請求項１記載の放電ランプ点灯装置によれば、放電ランプの放電電圧の位相に対して電圧検出手段で検出された電圧の位相の遅れを補正し、補正された電圧の位相において電流検出手段で検出された電流によりインバータ回路を帰還制御するため、例えば深い調光時でも電圧検出手段で検出された電圧の位相の遅れの影響を除いた放電電流によりインバータ回路を精度よく帰還制御できる。
【００１９】
請求項２記載の放電ランプ点灯装置によれば、請求項１記載の放電ランプ点灯装置の効果に加えて、放電ランプが点灯するまでの始動期間中に、電流検出手段で検出された容量性成分の波形の略ゼロクロスに対応した電圧のピーク位相に対して電圧検出手段で検出された電圧のピーク位相の遅れを補正する補正量を求めるため、放電ランプの点灯後に、電圧検出手段で検出された電圧の位相の遅れを始動時に求めた補正量によって精度よく補正できる。
【００２０】
請求項３記載の放電ランプ点灯装置によれば、請求項１記載の放電ランプ点灯装置の効果に加えて、放電ランプの放電電圧の位相に対して電圧検出手段で検出された電圧の位相の遅れを補正するのに必要な補正量が予め登録されたデータテーブルを備えるため、電圧検出手段で検出された電圧の位相の遅れをデータテーブルに登録されている補正量によって制度よく補正できる。
【発明を実施するための最良の形態】
【００２１】
以下、本発明の一実施の形態を、図１ないし図１１を参照して説明する。
【００２２】
図１は放電ランプ点灯装置の回路図であり、図２は放電ランプ点灯装置の放電電圧と検出電圧と漏洩電流との関係を示す波形図であり、図３は放電ランプ点灯装置の放電電圧と放電電流と漏洩電流との関係を示す波形図であり、図４は放電ランプ点灯装置で放電電圧のピーク位相を検出する第１の検出方法を示し、(a)は整形された放電電圧の波形図、(b)はコンパレータの出力の波形図であり、図５は放電ランプ点灯装置で放電電圧のピーク位相を検出する第２の検出方法を示す回路図であり、図６は第２の検出方法を示し、(a)は電圧検出回路で検出される共振コンデンサの電圧の波形図、(b)は放電電圧の波形図であり、図７は放電ランプ点灯装置で放電電圧のピーク位相を検出する第３の検出方法を示す回路図であり、図８は第３の検出方法を示し、(a)は電流検出回路で検出される電流の波形図、(b)は共振コンデンサに流れる電流の波形図、(c)は放電電圧の波形図であり、図９は放電ランプ点灯装置で放電電圧のピーク位相を検出する第４の検出方法を示し、(a)は放電電圧および放電電流の波形図、(b)は放電電圧および放電電流をサンプリングした波形図であり、図１０は第４の検出方法を示し、(a)は放電電圧および放電電流の波形図、(b)は放電電圧および放電電流をサンプリングした波形図であり、図１１は放電ランプ点灯装置を適用した照明器具の斜視図である。
【００２３】
図１に示すように、放電ランプ点灯装置10は、商用電源ｅに商用電源電圧を整流する全波整流素子RECの入力端子が接続され、この全波整流素子RECの出力端子に整流された直流電圧を昇圧する昇圧回路11が接続されている。昇圧回路11の出力端子間に、コンデンサC1が接続されているとともに、直流電圧を高周波電圧に変換して出力するインバータ回路12が接続されている。このインバータ回路12は、ハーフブリッジ形インバータであり、直列接続された２個のスイッチング素子としての電界効果トランジスタQ1，Q2を有している。電界効果トランジスタQ2の両端に、直流カット用のコンデンサC2と、共振インダクタンスL1および共振コンデンサC3を有する共振回路13とが接続されている。共振コンデンサC3と並列に例えば熱陰極形蛍光ランプなどの放電ランプFLが接続されている。なお、放電ランプFLのフィラメントを加熱する加熱手段は図面では省略している。
【００２４】
また、電界効果トランジスタQ1，Q2のゲートにはこれら電界効果トランジスタQ1，Q2のオンオフ動作を制御する制御手段としての制御回路16が接続されている。
【００２５】
また、共振コンデンサC3の両端に一対の抵抗R1，R2で構成される分圧回路19が接続され、この分圧回路19により放電ランプFLの電圧を検出する電圧検出手段20が構成されている。
【００２６】
共振コンデンサC3の一端に検出巻線23が接続され、この検出巻線23によりインバータ回路12が出力する電流（以下、出力電流という）を検出する電流検出手段24が構成されている。
【００２７】
これら電圧検出手段20および電流検出手段24は検出回路27に接続されている。この検出回路27は、電圧検出手段20が検出する電圧のピーク位相を検出するピーク位相検出手段の機能、および放電ランプFLの放電電圧の位相に対して電圧検出手段20で検出された電圧の位相の遅れを補正する補正手段の機能を有している。なお、ピーク位相検出手段および補正手段の機能は、制御回路16に設けてもよい。ここで、放電電圧のピーク位相とは、正弦波状の放電電圧の最大値または最小値を指す。
【００２８】
補正手段は、放電ランプFLが点灯するまでの始動期間中に、電流検出手段24で検出された容量性成分であって例えば漏洩電流成分の波形の略ゼロクロスに対応した電圧のピーク位相に対してピーク位相検出手段で検出された電圧のピーク位相の遅れを補正する補正量を求め、放電ランプFLの点灯後に、電圧検出手段20で検出された電圧の位相の遅れを補正量によって補正する。
【００２９】
そして、制御回路16は、ピーク位相検出手段で検出されて補正手段で補正された電圧のピーク位相において電流検出手段24で検出されたインバータ回路12の出力電流によりインバータ回路12を帰還制御する機能、入力される調光信号に対応して調光レベルを制御する機能などを有している。
【００３０】
図３に示すように、放電電圧VLのピーク位相の位置では、漏洩電流成分は容量性であるため０と考えることができ、放電電流ILのみを検出することになる。出力電流は放電電流ILと漏洩電流との和であるため、漏洩電流成分は放電電圧VLのピーク位相の位置では０となる。放電電圧VLのピーク位相で出力電流を検出することで、簡単な構成で放電電流ILのみを検出でき、この放電電流ILによってインバータ回路12を帰還制御することができ、深い調光時も安定した点灯を得ることができる。
【００３１】
次に、ピーク位相検出手段によって放電電圧のピーク位相を検出する第１の検出方法について、図４を参照して説明する。
【００３２】
この第１の検出方法は、電圧検出手段20によって検出された放電電圧VLからピーク位相を検出する方法である。
【００３３】
電圧検出手段20によって検出された放電電圧VLを任意の整流手段を用いて図４(a)に示すような波形とする。このとき、電圧基準値Vthを定め、比較手段として例えばコンパレータを用いて図４(b)に示すような波形に整形する。放電電圧VLは略正弦波状であるので、コンパレータの出力がHighレベルになる期間の中間点が放電電圧VLのピーク位相となる。
【００３４】
例えば、第１の放電電圧VLのパルスにてコンパレータの出力がHighレベルになる期間T_VLを測定し、第２の放電電圧VLのパルス中で、コンパレータの出力の立ち上がりエッジから期間T_VL/2の時間でピーク位相とすることができる。
【００３５】
そして、このピーク位相で出力電流を検出することで、漏洩電流成分を除いた放電電流ILのみを検出することができる。
【００３６】
次に、ピーク位相検出手段によって放電電圧のピーク位相を検出する第２の検出方法について、図５および図６を参照して説明する。
【００３７】
この第２の検出方法は、共振コンデンサC3の両端の電圧を利用して放電電圧VLのピーク位相を検出する手法を示す。
【００３８】
図５に示すように、図１に示した基本回路構成において、共振コンデンサC3の両端の電圧を検出する電圧検出回路が付加されている。この電圧検出回路では、共振コンデンサC3と並列にコンデンサCおよびダイオードD1の直列回路が接続され、これらコンデンサCとダイオードDとの接続点31にダイオードDを介して抵抗R3とコンデンサC5とで構成される時定数回路が接続されている。
【００３９】
そして、コンデンサCとダイオードD1との接続点31には、図６(a)に示すような電圧CrV_detが生じる。図６(b)には放電電圧VLの波形も同時に示す。このとき、電圧CrV_detは、抵抗R3とコンデンサC5との時定数で立ち上がり、立ち下がり時間が決定され、この立ち下りエッジが放電電圧VLのピーク位相となる。
【００４０】
そのため、立ち下りエッジに同期して出力電流を検出することで、漏洩電流成分を除いた放電電流ILのみを検出することができる。
【００４１】
なお、エッジの検出は比較回路を用いて検出することも可能であり、ディジタル制御素子を用いる場合にはＩ／Ｏポートへ入力してソフトウェア的に判断することも可能である。また、放電電圧VLと共振コンデンサC3の両端の電圧は略同一であるため、ここで用いた放電電圧VLのピーク位相の検出方法を両者に用いることができる。
【００４２】
次に、ピーク位相検出手段によって放電電圧のピーク位相を検出する第３の検出方法について、図７および図８を参照して説明する。
【００４３】
この第３の検出方法では、共振コンデンサC3に流れる電流を利用して放電電圧VLのピーク位相を検出する手法を示す。
【００４４】
図７に示すように、図１に示した基本回路構成において、共振コンデンサC3の電流を検出する電流検出回路が付加されている。この電流検出回路では、共振コンデンサC3に直列に抵抗R4が接続され、この抵抗R4と並列に、ダイオードD3と、ダイオードD4および抵抗R5とが接続されている。
【００４５】
図８に示すように、共振コンデンサC3に流れる電流は、放電電圧VLのピーク位相で０をとる。このとき、電流検出回路のダイオードDと抵抗との接続点34の電圧CrC_detは、共振コンデンサC3の電流が略ゼロクロスするポイントで電圧が生じるため、この点に同期して出力電流を検出することで、漏洩電流成分を除いた放電電流ILのみを検出することができる。
【００４６】
なお、共振コンデンサC3に流れる電流を利用して放電電圧VLのピーク位相を検出するのに、コンパレータを用いて、図６に示したCrV_detの波形のように整形するようにしてもよい。この場合、コンパレータには負荷の動作により高速なものが必要で、制御を必要とする周波数の１／４周期内に処理をしないと電流の向きが反転して値が正確にとれないため、コンパレータの応答時間＜（帰還制御時の動作周期／４）−（検出からデータの取り込みまでの時間）の関係を有するコンパレータが用いられる。
【００４７】
次に、ピーク位相検出手段によって放電電圧のピーク位相を検出する第４の検出方法について、図９および図１０を参照して説明する。
【００４８】
放電電圧および出力電流の検出値はアナログ信号である。図１に示す検出回路27（または制御回路16）に、放電電圧および出力電流のアナログ信号を時間的に離散化してサンプルするサンプリング手段を設けることにより、各々のサンプリング点での値を得ることができる。このようなサンプリング手段としては、サンプル／ホールド回路とＡ／Ｄ（アナログ／ディジタル）変換器とから構成される手段が広く用いられている。この手段によって、放電電圧および出力電流のアナログ信号を検出すると、時間的に離散したサンプリング値を数値化することができる。すなわち、ＣＰＵなどの演算手段によってアナログ信号を数値演算可能な形態に可変することができる。
【００４９】
図９(a)(b)に放電電圧のアナログ信号をサンプリングする場合の概念図を示す。簡単に説明するために対象を放電電圧VLと放電電流ILとし、任意のオフセットのもと負電位にはならないように構成したとする。それぞれのアナログ信号がサンプル／ホールド回路、Ａ／Ｄ変換器を通過すると、設定したサンプリング周期Ｔｓでアナログ信号をサンプリングした離散量に変換することができる。このとき、放電電圧VL、放電電流ILの信号はそれぞれ、｛ｖ[0]，ｖ[1]，ｖ[2]，…｝、｛ｉ[0]，ｉ[1]，ｉ[2]，…｝の離散量の集合として表すことができる。各値は数値化されるため、比較演算や算術演算を施すことができる。理論上はサンプル対象の信号の周波数をｆsignalとすると、サンプリング周波数ｆｓ（＝１／Ｔｓ）がｆｓ＞２＊ｆsignalの関係にあると離散量から元の信号を再現することができるため、任意の補完を施すことで元の検出信号を再現することができる。
【００５０】
ここでは、放電電圧VLのピーク位相を知るために、図９(b)のように離散化された値を利用する。図９(b)のようにサンプリングされた値を順次比較すると、ｖ[0]＜ｖ[1]＜ｖ[2]＜ｖ[3]＞ｖ[4]＞ｖ[5]の関係にある。これを利用すると、ｖ[3]が放電電圧VLのピーク位相であることがわかる。このことより、放電電圧VLのピーク位相のｖ[3]に対応した放電電流ILのi[3]が、放電電圧VLのピーク位相に同期した放電電流ILを与えることがわかる。このように、放電電圧VLのアナログ信号を離散的にサンプリングして放電電圧VLのピーク位相を検出し、この放電電圧VLのピーク位相に同期して出力電流を検出することで、漏洩電流成分を除いた放電電流ILのみを容易に検出することができる。
【００５１】
また、図１０に実際の回路構成における放電電流ILの検出の様子を示す。放電電圧VLとインバータ回路12の出力電流のサンプル／ホールド回路への入力の波形を図１０(a)に示す。図１０(b)にはＡ／Ｄ変換器を経たサンプル結果を示す。そして、検出された放電電圧VLとインバータ回路12の出力電流とを整流した波形としてサンプル／ホールド回路へ入力する。また、調光時には、図１０に示したように、出力電流は放電電圧VLの波形に対して進み位相になる。このとき、演算手段を用いてｖ[0]＜ｖ[1]＜ｖ[2]＜ｖ[3]＞ｖ[4]を割り出し、位相ｖ[3]が放電電圧VLのピーク位相であることを知ることができる。この位相情報におけるインバータ回路12の出力電流の値であるｉ[3]が放電電流ILのピーク位相に対応する。
【００５２】
ここでは、放電電圧VLとインバータ回路12の出力電流とを同時独立にサンプリングすることで、放電電圧VLのピーク位相と放電電流ILのピーク位相との間にずれがないように構成している。回路構成としてそれぞれの検出量に対して独立したサンプル／ホールド回路、Ａ／Ｄ変換器を持つことが望ましいが、サンプル／ホールド回路およびＡ／Ｄ変換器を備えた１つの回路で、放電電圧VLのピーク位相の判定と、位相情報の取得と、放電電流ILのピーク位相の検出とを繰り返すことにより、略同時にサンプリングすることもできる。
【００５３】
また、サンプル／ホールド回路およびＡ／Ｄ変換器を内蔵するマイコンやＤＳＰ（ディジタル・シグナル・プロセッサ）などを制御素子として用いることで、回路構成を簡略化することもできる。
【００５４】
次に、補正手段により、放電ランプFLの放電電圧の位相に対して電圧検出手段20で検出された電圧の位相の遅れを補正する例を図２に示す。
【００５５】
電源投入後から放電ランプFLが点灯するまでの始動期間中には、放電ランプFLに放電電流は流れないが、インバータ回路12は発振しているので、共振回路13から放電ランプFLには高周波高電圧が出力される。このとき、放電ランプFLと器具との間に生じる静電容量に漏洩電流が流れており、この漏洩電流成分を利用して補正を行う。
【００５６】
図２には、放電電圧VLと、電圧検出手段20で検出する検出電圧VL_detと、始動期間中の漏洩電流I_Cとをそれぞれ示す。検出電圧VL_detを基準にしてピーク位相を検出もしくは算出すると、ピーク位相VL_det peak 1が得られる。これに対して、始動前に漏洩電流I_Cが０となるように検出電圧VL_detのピーク位相を補正すると、ピーク位相VL_det peak 2が得られる。これによりピーク位相VL_det peak 1→ピーク位相VL_det peak 2への補正量を求めることができる。
【００５７】
そのため、放電ランプFLの点灯後は、始動期間中に求めた補正量によって電圧検出手段20で検出された電圧の位相の遅れを補正するこができる。
【００５８】
このように、放電ランプFLの放電電圧の位相に対して電圧検出手段20で検出された電圧の位相の遅れを補正し、補正された電圧の位相において電流検出手段24で検出された電流によりインバータ回路12を帰還制御できるため、深い調光時でも電圧検出手段20で検出された電圧の位相の遅れの影響を除いた放電電流によりインバータ回路12を帰還制御でき、深い調光ができる。
【００５９】
このように構成された放電ランプ点灯装置10は、図１１に示すような照明器具に適用できる。この照明器具は、放電ランプ点灯装置10が配置された器具本体41、この器具本体41の両端に直管形の放電ランプFLが装着されるソケット42などを備えている。
【００６０】
なお、補正手段は、放電ランプFLの放電電圧の位相に対して電圧検出手段20で検出された電圧の位相の遅れを補正するのに必要な補正量が予め登録されたデータテーブルを用い、電圧検出手段20で検出された電圧の位相の遅れをデータテーブルに登録されている補正量によって補正するようにしてもよい。この場合、データテーブルは、検出回路27または制御回路16が備える。
【図面の簡単な説明】
【００６１】
【図１】本発明の一実施の形態を示す放電ランプ点灯装置の回路図である。
【図２】同上放電ランプ点灯装置の放電電圧と検出電圧と漏洩電流との関係を示す波形図である。
【図３】同上放電ランプ点灯装置の放電電圧と放電電流と漏洩電流との関係を示す波形図である。
【図４】同上放電ランプ点灯装置で放電電圧のピーク位相を検出する第１の検出方法を示し、(a)は整形された放電電圧の波形図、(b)はコンパレータの出力の波形図である。
【図５】同上放電ランプ点灯装置で放電電圧のピーク位相を検出する第２の検出方法を示す回路図である。
【図６】同上第２の検出方法を示し、(a)は電圧検出回路で検出される共振コンデンサの電圧の波形図、(b)は放電電圧の波形図である。
【図７】同上放電ランプ点灯装置で放電電圧のピーク位相を検出する第３の検出方法を示す回路図である。
【図８】同上第３の検出方法を示し、(a)は電流検出回路で検出される電流の波形図、(b)は共振コンデンサに流れる電流の波形図、(c)は放電電圧の波形図である。
【図９】同上放電ランプ点灯装置で放電電圧のピーク位相を検出する第４の検出方法を示し、(a)は放電電圧および放電電流の波形図、(b)は放電電圧および放電電流をサンプリングした波形図である。
【図１０】同上第４の検出方法を示し、(a)は放電電圧および放電電流の波形図、(b)は放電電圧および放電電流をサンプリングした波形図である。
【図１１】同上放電ランプ点灯装置を適用した照明器具の斜視図である。
【図１２】一般的な放電ランプ点灯装置の放電電圧と検出電圧との関係を示す波形図である。
【符号の説明】
【００６２】
10    放電ランプ点灯装置
12    インバータ回路
16    制御手段としての制御回路
20    電圧検出手段
24    電流検出手段
27    補正手段としての検出回路
FL    放電ランプ
Q1，Q2    スイッチング素子としての電界効果トランジスタ
【図１】
2008277122.tif 000003
【図２】
2008277122.tif 000004
【図３】
2008277122.tif 000005
【図４】
2008277122.tif 000006
【図５】
2008277122.tif 000007
【図６】
2008277122.tif 000008
【図７】
2008277122.tif 000009
【図８】
2008277122.tif 000010
【図９】
2008277122.tif 000011
【図１０】
2008277122.tif 000012
【図１１】
2008277122.tif 000013
【図１２】
2008277122.tif 000014